(57)【要約】【課題】瓦の上に転倒しなく滑り落ちなく安定して置くことができるので、屋根掃除用の塵取りや、土や漆喰の揚げ箱、屋根修理のための道具類入れ等として都合良く使用できる瓦葺き屋根仕事用の取っ手容器を提供する。【解決手段】底壁に左右側壁と後壁とが立設された身の後端に取っ手が突設された塵取り形であって、底壁が屋根に葺かれる瓦の湾曲谷内に納まるとともにその谷面に沿って湾曲する形状に形成され、底壁の前端に上位の瓦の下に差し入れる突片が同じ湾曲形状の延長において左右側壁の前端よりも先方へ形成されている。【選択図】    図１
2008196122.tif 000002
【特許請求の範囲】
【請求項１】
底壁に左右側壁と後壁とが立設された身の後端に取っ手が突設された塵取り形であって、底壁が屋根に葺かれる瓦の湾曲谷内に納まるとともにその谷面に沿って湾曲する形状に形成され、底壁の前端に上位の瓦の下に差し入れる突片が同じ湾曲形状の延長において左右側壁の前端よりも先方へ形成されていることを特徴とする瓦葺き屋根仕事用の取っ手容器。
【請求項２】
取っ手を後壁の上端に後ろへ屈折して底壁に対して前方へ低い傾斜壁として形成し、左右側壁を前端部から後壁の上端を越えて取っ手の後端に至るよう後ろへ行くにつれて高く形成し、両側壁の後端部が取っ手の両端に起立して取っ手を支持するリブとして形成してあることを特徴とする請求項１記載の瓦葺き屋根仕事用の取っ手容器。
【発明の詳細な説明】
【技術分野】
【０００１】
この発明は、和瓦屋根の上で作業する職人の便宜のために工夫したものであるが素人でも屋根の修理等をするときに好都合であって、例えば、屋根の掃除用の塵取りや、漆喰塗り用の漆喰受け、その他として多様に使用できる瓦葺き屋根仕事用の取っ手容器に関する。
【背景技術】
【０００２】
瓦の葺き換えの際には環境上、取り外す瓦上のゴミを屋根下へ落とせない事情があるために予め瓦を一枚一枚掃除をすることがある。和瓦屋根は、下から順次重なり上下左右に直列に並ぶ葺き方で相互に持ち合う巧みな葺き方が取られているから、ゴミは瓦の谷の傾斜に沿って落としやすいが、従来これを都合良く掬い取ることはできなかった。
【０００３】
また、屋根の棟等の構築においては、のし瓦を重ねて内部に土又は漆喰を詰める工法がとられるが、その土又は漆喰を入れて持ち運ぶ容器として、図５に示すような木板で組み立てた揚げ箱が使用されていた。この揚げ箱は、底壁３０が平らであって両側壁３１，３１間の一面が開口し、開口面とは反対側の後壁３２が高く上に突き出てその上端が取っ手３３となっているもので、葺かれている瓦の湾曲谷部を跨ぐ幅であるため、これを塵取りとして使用できないことはもとより、漆喰塗り作業のために屋根の上に置くことはできても不安定であり、滑り落ちるおそれもあった。
【０００４】
漆喰塗は棟等の修理においてもなされることが多く、その他に、屋根の修理としては、殊に降雪の重みや氷結により瓦にひび割れが生じたために壊れた瓦を取り替えるためや、応急的にトタン板をひび割れの上に被せる作業となることがある。その際には金槌、ペンチ、銅線、トタン切り端等の道具類を使用することになるが、屋根の上にそれらの道具類を直に置いた場合には、滑って下に落とすことがあり、滑った勢いで隣家の庭に落ちる不手際を招くこともあった。
【発明の開示】
【発明が解決しようとする課題】
【０００５】
この発明は、上記のような実情に鑑みて、瓦の上に転倒しなく滑り落ちなく安定して置くことができるので、屋根掃除用の塵取りや、土や漆喰の揚げ箱、屋根修理のための道具類入れ等として都合良く使用できる瓦葺き屋根仕事用の取っ手容器を提供することを課題とした。
【課題を解決するための手段】
【０００６】
上記の課題を解決するために、この発明は、底壁に左右側壁と後壁とが立設された身の後端に取っ手が突設された塵取り形であって、底壁が屋根に葺かれる瓦の湾曲谷内に納まるとともにその谷面に沿って湾曲する形状に形成され、底壁の前端に上位の瓦の下に差し入れる突片が同じ湾曲形状の延長において左右側壁の前端よりも先方へ形成されていることを特徴とする瓦葺き屋根仕事用の取っ手容器を提供するものである。
【０００７】
瓦葺き屋根仕事用の取っ手容器を上記のように構成したから、これを屋根のゴミを払うときの塵取りとして使用する場合には、払う下の瓦の谷に納めて上に重なっている上位の瓦の下（水たれ）に突片を差し入れる。和瓦は、一側端に横の瓦の上に被さるように隆起した山形の「さん」が形成されている関係で、谷の湾曲形状は「さん」の側に急傾斜の湾曲形状となって左右対象でないため、この形状と取っ手容器の底壁及び先端突片との形状が面接合で合致することによって、左右に揺動しない安定性が得られ、しかも、上位の瓦の重しにより上下瓦との接触摩擦が強く働くために、滑り落ちることもなく安定性を保持する。
【０００８】
このように、瓦に差し込んで安定した状態で屋根に置くことができるから、塵取りとしてばかりでなく、のし瓦の中に詰める漆喰や土を入れる箱として使用し、また、壊れた瓦を取り替えるために、釘抜きやペンチ、釘や銅線等を入れる容器として屋根の上に安定して置き、道具類を出し入れしながら都合良く自由に作業を行うことができる。
【発明の効果】
【０００９】
以上説明したように、この発明の瓦葺き屋根仕事用の取っ手容器によれば、屋根に葺かれている瓦の谷に納めて上位の瓦の下に突片を差し入れることによって、瓦の上に転倒しなく滑らなく安定して置くことができるので、屋根掃除用の塵取りや、土や漆喰の揚げ箱、屋根修理のための道具類入れ等として、屋根仕事に都合良く使用できるという優れた効果がある。
【００１０】
加えて、請求項２の如くに構成すれば、リブにより取っ手が持ちやすく頑強であるばかりでなく、屋根の勾配を受けて水平に近くなることから、突片を差し込んだり引き出したりする際に、取っ手に出し入れに必要な水平に近い方向の力を加えやすく、また、左右側壁が屋根下側へ深くなっているので、漆喰や道具類を安定して入れやすく出し方も容易となるという効果を併有する。
【発明を実施するための最良の形態】
【００１１】
図１ないし図４は一実施の形態を示したもので、その瓦葺き屋根仕事用の取っ手容器Ｐは、身１の後端に取っ手３を突設したもので、メッキ（例えば亜鉛・アルミ合金）が施された２枚の薄い鉄板で組み立てられているが、硬質のプラスチックで一体成形することもできるというように、この発明では材質は特に問うものではない。
【００１２】
身１は、底壁５に左右両側壁７，７と後壁９とを突設して前面が開口した塵取り形ではあるが、大きな違いは底壁５が瓦Ｔの谷面の湾曲に合わせた湾曲形状であり、前端に側壁７，７の端よりも底壁５が延長した突片１０を有することである。また、取っ手３は、後壁９の上端に後ろ傾斜に屈折して形成され、両側壁７，７の一部がリブ８，８として取っ手３の両側に臨んでいることによりそれを支持していることにも特異性がある。なお、前記したように、瓦Ｔの谷湾曲形状は左右対象ではないので、瓦Ｔとの接合により身１は左右に揺動しない安定性が保持されるが、その際に取っ手３の上端縁は水平を保持するように作られている（図２）。また、両側壁７，７間は上にやゝ開きに形成することにより、多数容器Ｐ，Ｐ…を重ね得るようになっている。次に、図示した鉄板製の場合の作り方について構造をさらに詳しく説明する。
【００１３】
組立てに使用する２枚のうちの１枚の主鉄板では、底壁５と左右側壁７，７と底壁５先端の突片１０と後端のリブ８，８とが形成され、他の１枚の副鉄板では、後壁９と取っ手３とが形成される。
【００１４】
主鉄板で構成されるうちの底壁５は、前記したように湾曲形状であるが、これは後壁９の下端のアール形状で保持され、その湾曲形状を保持したまま、突片１０が左右両側壁７，７の前端よりも先端に延長して突出し、また、上下瓦Ｔ，Ｔの間に差し込みやすく先端に順次幅狭く且つ先角が取られてアールに形成される。側壁７，７は、底壁５に対して後端に行くにつれて高く形成され、後端部では後壁９よりも高く、後方へ取っ手３上のリブ８，８として突出し、上縁が取っ手３の後端と交差しているため、そのリブ８，８が三角形状となっており、リブ８，８の下縁に取っ手３の裏面に当たる連結片１３，１３が直角に屈折して形成される。また、両側壁７，７の上端に外へ折り返した補強の縁取り１１，１１が形成してある。
【００１５】
副鉄板で構成されるうちの後壁９は、下縁が瓦Ｔの谷面の湾曲に沿った形状であって、底壁５と左右側壁７，７の各後端とは特殊な加締め方により連結されており、その加締め部分１５が底壁５から左右側壁７，７にわたって帯状に連続し、こうして底壁５の湾曲形状を強力に保持している。また、取っ手３の左右両端部においては前記したリブ８，８と一体の連結片１３，１３が鋲１９，１９で止められ、また、取っ手３の後端には裏面に折り返す縁取り２１が形成される。
【００１６】
図３および図４は、上記取っ手容器Ｐを屋根に置いた装着状態を示したもので、瓦Ｔの谷に身１をはめ込みながら先端の突片１０を上の瓦Ｔの水落とし口の下に差し入れることにより、左右に揺れないように又滑り落ちないように保持されている。この状態で、屋根の掃除をする塵取りとして使用し、或いは屋根修理の際の道具類の入れ物として使用する。
【００１７】
ちなみに、図示の場合、瓦Ｔの種類として、屋根の瓦さん２５に掛かる引っ掛け２６を有する引っ掛けさん瓦を示したが、この葺き方では瓦さん２５に釘付けされて瓦Ｔが止められているので、その修理については、ペンチ、金槌、釘抜き、釘等の道具類が身１に入れられることになり、別の瓦の種類（葺き方）では銅線等が入れられる。また、屋根の上端においては、図示と同様に取っ手容器Ｐを装着することにより、のし瓦の中に詰める土や漆喰入れとして使用しながら作業を都合良くなし得る。また、いずれの使用の仕方においても、入れた物の重みに耐えて取っ手を持ちやすい。
【図面の簡単な説明】
【００１８】
【図１】この発明の一実施形態を示す瓦葺き屋根仕事用の取っ手容器の斜視図である。
【図２】同瓦葺き屋根仕事用の取っ手容器の湾曲形状を瓦との関係で示す正面図である。
【図３】同瓦葺き屋根仕事用の取っ手容器の使用状態を示す屋根の斜視図である。
【図４】図３のＡ−Ａ線矢視の拡大断面図である。
【図５】従来例を示す揚げ箱の斜視図である。
【符号の説明】
【００１９】
Ｐ  瓦葺き屋根仕事用の取っ手容器
Ｔ  瓦
１  身
３  取っ手
５  底壁
７  側壁
８  リブ
９  後壁
１０  突片
【図１】
2008196122.tif 000003
【図２】
2008196122.tif 000004
【図３】
2008196122.tif 000005
【図４】
2008196122.tif 000006
【図５】
2008196122.tif 000007